(57)【要約】      （修正有）【課題】写真だけでなく、日記や各種記録や記念品等の自分の一生の記録がまとまって同時に一括して収納でき、保管が容易で、さらに携帯しても利用することが可能な多機能アルバムを提供する。【解決手段】表紙と背表紙と台紙及びと裏表紙等からなるアルバムにおいて、表紙、背表紙、台紙及び裏表紙等各々厚みを有する構造にして、厚みのある貴重品や記念品等の収納を可能とし、さらに台紙を屏風状折り畳み展開自在構造とすることにより複数の写真及び各種記録等の一括収納を可能とするとともに、一括閲覧を可能とした。併せて、保管用の固定バンドや携帯用の取手を取り付けることにより、保管が容易となり、携帯することも容易となり希望する場所での閲覧が可能となった。【選択図】図１
0003142570.tif 000002
【実用新案登録請求の範囲】
【請求項１】
表紙１と該表紙１に背表紙９を介して一体連結された複数の写真等を収納する透明体の袋部構造の台紙１１と裏表紙１０からなるアルバムにおいて、該台紙１１が各々屏風状に折り畳み展開自在な構造であることを特徴とするアルバム。
【請求項２】
前記折り畳み構造の台紙１１が、写真以外の年表や免許証等の収容が可能な厚みを有する構造であることを特徴とする請求項１記載のアルバム。
【請求項３】
前記表紙１と背表紙９及び裏表紙１０が厚さを有する構造で、表紙１は蓋付の収納部を有し厚みのある貴重品等が収納可能な構造で、背表紙９は複数の前記折り畳み構造の台紙１１が収納可能な構造で、裏表紙１０は透明体のポケット構造を有し厚みのある各種記念品及びそれらの縮小コピー等が収納可能な構造であることを特徴とする請求項１または請求項２記載のアルバム。
【考案の詳細な説明】
【技術分野】
【０００１】  本考案は、写真のみでなく、人生の様々な想い出や記録を収納することが可能な多機能アルバムに関するものである。
【背景技術】
【０００２】  現在使用されているアルバムや日記については、アルバムは写真が貼られるのが主目的で写真に関する説明も少なく、日記にしてもせいぜい１０年程度の記録にとどめられている。
また、自分及び家族の記録、例えば母子手帳や病歴やへその緒や各種記念品等も各々が個別に分類されて保管されている。
それ故、各人のまとまった記録を一括して収納しているアルバム等の収納具は存在していない。
【考案の開示】
【考案が解決しようとする課題】
【０００３】  アルバムや日記や各種記録等が、各々個別に分類されて保管されているとまとまった記録を一括して見たい場合や緊急災害時等に不便であるので、アルバムや日記や各種記録が一括されて収納されている収納具が要望されている。
【課題を解決するための手段】
【０００４】  この課題を解決することを目的として、屏風をアルバムとして利用する技術（例えば公開実用新案公報平２−６４３６５）が提案されている。
しかしながら、この提案では、写真以外の収容は困難で、さらに広い保管場所が要求される等で使用が限定される。
そこで、写真以外の日記や各種記録・記念品が同時に一括して収納でき、さらに携帯して利用することも可能な以下の考案を提供する。【０００５】  本考案は、上記問題を解決するために考案したもので、表紙１と該表紙１と背表紙９を介して一体連結された複数の台紙１１と裏表紙１０とからなるアルバムにおいて、該台紙１１を屏風状に折り畳み構造に連続させることにより多くの写真、個人の記録及び免許証等の収納を可能とした。
また、該表紙１、背表紙９、台紙１１及び裏表紙１０は各々厚みを有する構造とすることにより、厚みを有する貴重品や記念品等の収納も可能とした。
【考案の効果】
【０００６】  従来のアルバムでは、写真が収納されるのが主目的で、しかも複数の台紙が製本された状態であったので、複数の関連ある一連の写真等を一度に見ることはできなかった。
また、厚みのある貴重品や記念品等の収納にもおのずと限界があった。
本考案によれば、台紙１１を屏風状に折り畳み展開自在にすることにより複数の関連ある一連の写真、個人の記録及び免許証等を一度に見ることが可能となる。
また、表紙１、背表紙９、台紙１１及び裏表紙１０を厚み構造にすることにより、厚みのある貴重品や記念品等の収納も可能となる。
【考案を実施するための最良の形態】
【０００７】  本考案の屏風式多機能アルバムは、表紙１と該表紙１と背表紙９を介して一体連結された複数の台紙１１と裏表紙１０とからなり、該表紙１は厚みを有する蓋付の収納空間３を有する構造としへその緒や結婚指輪等の厚みを有する貴重品等の収納を可能とし、また、該背表紙９は厚みを有する構造とし厚みのある複数の該台紙１１の収納を可能とし、さらに、複数の該台紙１１は各々が屏風状に折り畳み展開自在に厚み構造を有した透明体の袋状構造とし写真以外の年表や免許証等の収納を可能とし、裏表紙１０も厚みを有する透明体の収納空間を有する構造とし母子手帳、免許証、成績表、表彰状等やこれらの縮小コピー等の収納を可能とする構造にする。
表紙１、背表紙９、台紙１１、裏表紙１０及び透明体等の材質については、耐久性、耐水性及び加工性等を考慮すればポリエチレンやポリプロピレン、ポリエチレンテレフタレート等のプラスチックが好ましいが、耐久性等があり要求される機能を発揮するものであれば紙等でも問題はなく、特に限定されるものではない。
また、該台紙１１の枚数についても特に限定されるものでなく、使用目的により背表紙の厚み調整により対応することが可能な構造である。
さらに、該台紙１１の折り畳み部は折り畳み強度を有するポリエチレン等のプラスチック材料を用いても、環状連結具等を用いる方式でも問題なく、本考案の機能を十分に発揮する材料、方式であれば特定されるものではない。
【実施例】
【０００８】  本考案の屏風式多機能アルバムの一実施例について図面を参照して、以下に詳細に説明する。
図１は本考案に係る屏風式多機能アルバムの展開状態の全体図であり、表紙１と背表紙９と裏表紙１０とを一体連結してアルバム本体を形成する。
さらに収納後にアルバム全周を縛って固定できる固定バンド２及び収納後の持ち運びに便利な取手６も設置する。
表紙１は厚みのある構造とし、表紙１内側に厚みを有する貴重品等収納用の蓋及び開閉調整具４付の収納空間３を設け、へその緒や結婚指輪等の厚みのある貴重品を収納する。
また、背表紙９は厚みのある構造とし、複数の台紙１１が機能的に利用できる構造とし、複数の写真等を収納する。
そして、台紙１１は各々が屏風状に折り畳み展開自在に厚み構造を有した透明体の袋状構造とし写真以外の年表や免許証等を収納する。
さらに、裏表紙１０も厚みのある構造とし、裏表紙１０内側に厚みを有する透明体の収納空間を設け、母子手帳、免許証、成績表、表彰状等やこれらの縮小コピー等を収納する。
このようにコンパクトに効率的に収納することが可能となる。
よって、収納後は保管場所等が限定されることはなく、容易に保管でき、他の場所で見たい場合などには、容易に携帯することも可能である。
参考として、本考案に係る屏風式多機能アルバムの折り畳んだ状態の側面からみた図２及び上からみた図３についても示す。
【図面の簡単な説明】
【０００９】
【図１】本考案の屏風式多機能アルバムの展開状態の全体の斜視覚図である。
【図２】本考案の屏風式多機能アルバムの折り畳んだ状態の側面図である。
【図３】本考案の屏風式多機能アルバムの折り畳んだ状態の上面図である。
【符号の説明】
【００１０】  １  表紙
２  アルバム全周固定ベルト
３  表紙内側の貴重品収納空間
４  開閉調整具
５  記念書類及び縮小コピー収納空間
６  持ち運び用取手
７  背表紙上
８  収納品記録部
９  背表紙
１０  裏表紙
１１  台紙
１２  折り畳み部
１３  写真等の説明部
【図１】
0003142570.tif 000003
【図２】
0003142570.tif 000004
【図３】
0003142570.tif 000005